【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
第２の品目を顧客に自律的または半自律的に配達するためのプラットフォームであって、前記プラットフォームは：
ａ）自律車両または半自律車両であって：
（ｉ）第１の品目の少なくとも１つおよび第２の品目の少なくとも１つを収容し、セキュリティ保護するように構成されたロック式コンパートメントであって、前記ロック式コンパートメントは、前記第１の品目と前記第２の品目の少なくとも一方がないことを検知するように構成されたセンサを備えている、ロック式コンパートメント；
（ｉｉ）顧客の本人確認と前記顧客による前記第２の品目の選択の少なくとも一方を受信するように構成され入力装置；ならびに
（ｉｉｉ）自律型または半自律型の推進システム；
を有する自律車両または半自律車両を備え、
ｂ）前記プラットフォームはさらに、アプリケーションを作成するためにプロセッサによって実行可能な命令を含むコンピュータプログラムで符号化された非一時的なコンピュータ可読ストレージ媒体であって、前記アプリケーションが：
（ｉ）前記顧客から注文を受けるように構成された注文モジュールであって、前記注文は、前記第１の品目および顧客の場所を含む、注文モジュール；
（ｉｉ）前記自律型または半自律型の推進システムを制御して前記自律車両または半自律車両を前記顧客の場所へ誘導する配達モジュール；ならびに
（ｉｉｉ）前記顧客の本人確認に基づいて前記顧客の身元を確認し、前記顧客の身元の前記確認に基づいて前記ロック式コンパートメントのロックを解除する、顧客の本人確認モジュール；ならびに
（ｉｖ）前記第１の品目がないことに基づいて、前記第１の品目が前記コンパートメントから取り出されたことを判断する、前記第２の品目がないことに基づいて、前記第２の品目が前記コンパートメントから取り出されたことを判断する、またはこの両方を判断する、解放検知モジュール
を含む、非一時的なコンピュータ可読ストレージ媒体
を備える、プラットフォーム。
【請求項２】
請求項１に記載のプラットフォームであって、
前記センサは、バーコードスキャナ、ＲＦＩＤリーダ、物差し、圧力センサ、スイッチ、およびカメラのうちの少なくとも１つを備えている、プラットフォーム。
【請求項３】
請求項１に記載のプラットフォームであって、
前記入力装置には、Ｗｉ−Ｆｉ入力装置、Ｂｌｕｅｔｏｏｔｈ入力装置、セルラー方式入力装置、ボタン、タッチ画面、カメラ、ＵＳＢ入力部、キーボード、またはこれらの任意の組み合わせが含まれる、プラットフォーム。
【請求項４】
請求項１に記載のプラットフォームであって、
前記アプリケーションはさらに、データベースモジュールを含む、プラットフォーム。
【請求項５】
請求項４に記載のプラットフォームであって、
前記データベースは、前記顧客に関連付けられた顧客データを含み、前記アプリケーションはさらに、少なくとも前記第１の品目および前記顧客データに基づいて前記第２の品目を決定するように構成された予測モジュールを備えている、プラットフォーム。
【請求項６】
請求項５に記載のプラットフォームであって、
前記予測モジュールは、機械学習アルゴリズムによって前記第２の品目を決定する、プラットフォーム。
【請求項７】
請求項５に記載のプラットフォームであって、
前記予測モジュールはさらに、前記第２の品目の前記決定に基づいて積荷管理者に積荷命令を送信するように構成される、プラットフォーム。
【請求項８】
請求項４に記載のプラットフォームであって、
前記データベースモジュールは、少なくとも第１の識別情報および第２の識別情報を含む複数の一意識別子を含み、前記第１の識別情報は前記第１の品目に関連付けられ、前記第２の識別情報は前記第２の品目に関連付けられる、プラットフォーム。
【請求項９】
請求項８に記載のプラットフォームであって、
前記第１の品目は、前記第１の識別情報に関連付けられた第１の指標を含む、前記第２の品目は、前記第２の識別情報に関連付けられた第２の指標を含む、またはこの両方である、プラットフォーム。
【請求項１０】
請求項９に記載のプラットフォームであって、
前記解放検知モジュールは、前記第１の指標を検知することによって前記第１の品目が取り出されたことを検知し、前記解放検知モジュールは、前記第２の指標を検知することによって前記第２の品目が取り出されたことを検知する、プラットフォーム。
【請求項１１】
請求項１に記載のプラットフォームであって、
前記ロック式コンパートメントは、２つ以上の第１の品目、２つ以上の第２の品目、またはこの両方を収容し、セキュリティ保護するように構成される、プラットフォーム。
【請求項１２】
請求項１に記載のプラットフォームであって、
前記ロック式コンパートメントはさらに、前記第１の品目と前記第２の品目の少なくとも一方を販売するように構成された販売機構を有する、プラットフォーム。
【請求項１３】
請求項１に記載のプラットフォームであって、
さらに、フリート管理モジュールから命令を受信するように構成された通信装置を備えている、プラットフォーム。
【請求項１４】
請求項１３に記載のプラットフォームであって、
前記命令は、前記顧客の場所と前記顧客の本人確認の少なくとも一方を含む、プラットフォーム。
【請求項１５】
請求項１に記載のプラットフォームであって、
さらに、エネルギー貯蔵装置とエネルギー収集装置の少なくとも一方を備えている、プラットフォーム。
【請求項１６】
請求項１に記載のプラットフォームであって、
さらに、媒体を表示するように構成された画面を備えている、プラットフォーム。
【請求項１７】
請求項１６に記載のプラットフォームであって、
前記媒体は、前記第１の品目に基づく媒体、前記第２の品目に関連付けられた媒体、前記第１の品目に関連付けられた価格、前記第２の品目に関連付けられた価格、前記選択品、前記注文、前記第１の品目がないこと、前記第２の品目がないこと、前記顧客の場所、前記顧客の本人確認、またはこれらの任意の組み合わせを含む、プラットフォーム。
【請求項１８】
請求項１に記載のプラットフォームであって、
前記アプリケーションは、さらに、前記第１の品目が前記コンパートメントから取り出されていること、前記第２の品目が前記コンパートメントから取り出されていること、またはこの両方に基づいて前記顧客に費用請求するように構成された支払いモジュールを備えている、プラットフォーム。
【請求項１９】
請求項１に記載のプラットフォームであって、
前記アプリケーションの少なくとも一部は、前記車両に搭載されて実行される、プラットフォーム。
【請求項２０】
請求項１に記載のプラットフォームであって、
前記プロセッサは、前記車両に搭載されたままである、プラットフォーム。
【請求項２１】
請求項１に記載のプラットフォームであって、
前記第１の品目は複数の第１の品目を含む、前記第２の品目は複数の第２の品目を含む、またはこの両方である、プラットフォーム。
【手続補正２】
【補正対象書類名】明細書
【補正対象項目名】０００４
【補正方法】変更
【補正の内容】
【０００４】
本明細書に提示する１つの態様は、第２の品目を顧客に自律的または半自律的に配達するためのプラットフォームであって、プラットフォームは：自律車両または半自律車両であって：第１の品目の少なくとも１つおよび第２の品目の少なくとも１つを収容し、セキュリティ保護するように構成されたロック式コンパートメントであって、ロック式コンパートメントは、第１の品目と第２の品目の少なくとも一方がないことを検知するように構成されたセンサを備えている、ロック式コンパートメント；顧客の本人確認と顧客による第２の品目の選択の少なくとも一方を受信するように構成され入力装置；ならびに自律型または半自律型の推進システム；を有する自律車両または半自律車両を備え、プラットフォームはさらに、アプリケーションを作成するためにプロセッサによって実行可能な命令を含むコンピュータプログラムで符号化された非一時的なコンピュータ可読ストレージ媒体であって、アプリケーションが：顧客から注文を受けるように構成された注文モジュールであって、注文は、第１の品目および顧客の場所を含む、注文モジュール；自律型または半自律型の推進システムを制御して自律車両または半自律車両を顧客の場所へ誘導する配達モジュール；ならびに顧客の本人確認に基づいて顧客の身元を確認し、顧客の身元の確認に基づいてロック式コンパートメントのロックを解除する、顧客の本人確認モジュール；ならびに第１の品目がないことに基づいて、第１の品目がコンパートメントから取り出されたことを判断する、第２の品目がないことに基づいて、第２の品目がコンパートメントから取り出されたことを判断する、またはこの両方を判断する、解放検知モジュールを含む、非一時的なコンピュータ可読ストレージ媒体を備えている、プラットフォームである。
【手続補正３】
【補正対象書類名】明細書
【補正対象項目名】００２１
【補正方法】変更
【補正の内容】
【００２１】
いくつかの実施形態では、サービスはさらに：使用者が同じまたはほぼ同じ商品を同じ相互作用の中で受け取り、返送すること；（例えば署名済みの文書）；使用者が同じ相互作用の中で１セットの商品を受け取って異なるセットの商品を返送すること；（例えば製品の交換／返品、食料品、商品、書籍、記録物、ビデオ、映画、支払い取引など）；第三者の使用者が商品またはサービスの提供者に対して、別の場所にいる主な使用者に商品を準備し、輸送し、配達し、かつ／または回収するよう命令および／または許可を出すことを含む。
【手続補正４】
【補正対象書類名】明細書
【補正対象項目名】００９５
【補正方法】変更
【補正の内容】
【００９５】
いくつかの実施形態では、サービスには、これに加えて、またはさらに、商品を返送すること（例えば署名済みの文書）、１セットの商品を受領して別セットの商品を返送すること（例えば製品の交換／返品、食料品、商品、書籍、記録物、ビデオ、映画、支払い取引など）、または第三者の使用者が商品またはサービス提供者に対して、別の場所にいる主要使用者に商品を準備し、輸送し、配達し、かつ／または回収するよう命令および／または許可を出すことが含まれる。いくつかの実施形態では、サービスには、さらに、またはこれに加えて、広告サービス、土地調査サービス、パトロールサービス、監視サービス、交通調査サービス、標識および信号調査サービス、建築物、または道路インフラ調査サービスが含まれる。
【手続補正５】
【補正対象書類名】明細書
【補正対象項目名】０１０４
【補正方法】変更
【補正の内容】
【０１０４】
いくつかの実施形態では、デジタル処理装置は、使用者に視覚情報を送るためのディスプレイを備えている。いくつかの実施形態では、ディスプレイは、液晶ディスプレイ（ＬＣＤ）である。さらに別の実施形態では、ディスプレイは、薄膜トランジスタ液晶ディスプレイ（ＴＦＴ−ＬＣＤ）である。いくつかの実施形態では、ディスプレイは、有機発光ダイオード（ＯＬＥＤ）ディスプレイである。様々なさらに別の実施形態では、ＯＬＥＤディスプレイは、パッシブマトリクス型ＯＬＥＤ（ＰＭＯＬＥＤ）またはアクティブマトリクス型ＯＬＥＤ（ＡＭＯＬＥＤ）ディスプレイである。いくつかの実施形態では、ディスプレイは、プラズマディスプレイである。他の実施形態では、ディスプレイは、ビデオプロジェクタである。さらに他の実施形態では、ディスプレイは、ＶＲヘッドセットなど、デジタル処理装置と通信するヘッドマウントディスプレイである。さらに別の実施形態では、適切なＶＲヘッドセットには、非限定的な例として、ＨＴＣ  Ｖｉｖｅ、Ｏｃｕｌｕｓ  Ｒｉｆｔ、Ｓａｍｓｕｎｇ  Ｇｅａｒ  ＶＲ、Ｍｉｃｒｏｓｏｆｔ  ＨｏｌｏＬｅｎｓ、Ｒａｚｅｒ  ＯＳＶＲ、ＦＯＶＥ  ＶＲ、Ｚｅｉｓｓ  ＶＲ  Ｏｎｅ、Ａｖｅｇａｎｔ  Ｇｌｙｐｈ、Ｆｒｅｅｆｌｙ  ＶＲヘッドセットなどが含まれる。またさらに他の実施形態では、ディスプレイは、本明細書に開示したもののような装置の組み合わせである。
【手続補正６】
【補正対象書類名】明細書
【補正対象項目名】０１０７
【補正方法】変更
【補正の内容】
【０１０７】
引き続き図１４を参照すると、ＣＰＵ１４０５は、プログラム、アプリケーション、および／またはソフトウェアに組み込まれた一連の機械可読命令を実行するように構成される。命令は、任意で、メモリ１４１０などのメモリロケーションに保存される。命令は、ＣＰＵ１４０５に向けられ、続いてＣＰＵは、本開示の方法を実施するようにＣＰＵ１４０５をプログラムするか、あるいはそのように構成する。ＣＰＵ１４０５によって実施される動作の例には、フェッチ、デコード、実行、およびライトバックが含まれる。ＣＰＵ１４０５は、場合によっては、集積回路などの回路の一部である。装置１４０１の１つ以上の他の構成要素は、任意で、回路に含まれる。場合によっては、回路は、特定用途向け集積回路（ＡＳＩＣ）またはフィールドプログラマブルゲートアレイ（ＦＰＧＡ）である。
【手続補正７】
【補正対象書類名】明細書
【補正対象項目名】０１１８
【補正方法】変更
【補正の内容】
【０１１８】
自律車両または半自律車両１７１０は、ロック式コンパートメント１７２０、入力装置１７３０、および自律型または半自律型の推進システム１７４０を備えていてよい。
【手続補正８】
【補正対象書類名】明細書
【補正対象項目名】０１４１
【補正方法】変更
【補正の内容】
【０１４１】
予測モジュール
予測モジュールは、第２の品目を決定するように構成されてよい。予測モジュールは、少なくとも第１の品目および顧客データに基づいて第２の品目を決定するように構成されてよい。いくつかの実施形態では、予測モジュールは、機械学習アルゴリズム、ルールベースのアルゴリズム、またはこの両方によって第２の品目を決定する。いくつかの実施形態では、予測モジュールはさらに、積荷管理者に積荷命令を送信するように構成されてよい。いくつかの実施形態では、予測モジュールは、第２の品目の決定に基づいて積荷管理者に積荷命令を送信する。予測モジュールは、複数の第２の品目を決定するように構成されてよい。予測モジュールは、第一の第２の品目、第一の第２の品目とは異なる第二の第２の品目、または第一の第２の品目および第二の第２の品目とは異なるさらに多くの第２の品目を決定するように構成されてよい。予測モジュールはさらに、第２の品目に関連する追加料金を決定するように構成されてよい。予測モジュールはさらに、第１の品目および第２の品目に関連するバンドリング価格プランを決定するように構成されてよい。
【手続補正９】
【補正対象書類名】明細書
【補正対象項目名】０１６７
【補正方法】変更
【補正の内容】
【０１６７】
いくつかの実施形態では、デジタル処理装置は、使用者に視覚情報を送るためのディスプレイを備えている。いくつかの実施形態では、ディスプレイは、陰極線管（ＣＲＴ）である。いくつかの実施形態では、ディスプレイは、液晶ディスプレイ（ＬＣＤ）である。いくつかの実施形態では、ディスプレイは、薄膜トランジスタ液晶ディスプレイ（ＴＦＴ−ＬＣＤ）である。いくつかの実施形態では、ディスプレイは、有機発光ダイオード（ＯＬＥＤ）ディスプレイである。様々ないくつかの実施形態では、ＯＬＥＤディスプレイは、パッシブマトリクス型ＯＬＥＤ（ＰＭＯＬＥＤ）またはアクティブマトリクス型ＯＬＥＤ（ＡＭＯＬＥＤ）ディスプレイである。いくつかの実施形態では、ディスプレイは、プラズマディスプレイである。いくつかの実施形態では、ディスプレイは、ビデオプロジェクタである。いくつかの実施形態では、ディスプレイは、使用者の相互作用／身振り／応答などを検知してよい相互作用式のもの（例えばタッチ画面またはカメラ、３Ｄセンサ、ＬｉＤＡＲ、レーダなどのセンサを有するもの）である。さらにいくつかの実施形態では、ディスプレイは、本明細書に開示したもののような装置の組み合わせである。
【手続補正１０】
【補正対象書類名】明細書
【補正対象項目名】０１６８
【補正方法】変更
【補正の内容】
【０１６８】
顧客が自律車両を用いて野球用バットを購入する場合の野球用ミットのアップセル販売
１つの実施例では、プラットフォームの注文モジュールが、野球用バットを１２３  Ａ  Ｓｔｒｅｅｔへ届けるというＳａｍからの注文を受ける。予測モジュールは、Ｓａｍの注文履歴および購入履歴を考慮して、彼が野球用ミットの購入も望んでいる可能性があると判断する。次に、配達モジュールは、１つ以上の自律車両または半自律車両の自律型または半自律型の推進システムを制御して、野球用バットおよび野球用ミットを１２３  Ａ  Ｓｔｒｅｅｔに配達する。車両が１２３  Ａ  Ｓｔｒｅｅｔに到着すると、顧客の本人確認モジュールは、注文の受け取りを待っている人物が実際にＳａｍであることを確認する。次に、顧客の本人確認モジュールは、ロック式コンパートメントのロックを解除する。Ｓａｍは、野球用バットを取り出し、それを保有すると決める。次にＳａｍは、野球用ミットを取り出して調べ、ミットを購入しないと決め、ミットをコンパートメントに戻す。解放検知モジュールは、野球用バットがないことに基づいて野球用バットが取り出されたことを判断し、野球用ミットは戻されてなくなっていないことを判断する。次に支払いモジュールは、野球用バットの価格をＳａｍに請求する。
本開示は、以下の形態により実現してもよい。
［形態１］
第２の品目を顧客に自律的または半自律的に配達するためのプラットフォームであって、前記プラットフォームは：
ａ）自律車両または半自律車両であって：
（ｉ）第１の品目の少なくとも１つおよび第２の品目の少なくとも１つを収容し、セキュリティ保護するように構成されたロック式コンパートメントであって、前記ロック式コンパートメントは、前記第１の品目と前記第２の品目の少なくとも一方がないことを検知するように構成されたセンサを備えている、ロック式コンパートメント；
（ｉｉ）顧客の本人確認と前記顧客による前記第２の品目の選択の少なくとも一方を受信するように構成され入力装置；ならびに
（ｉｉｉ）自律型または半自律型または半自律型の推進システム；
を有する自律車両または半自律車両を備え、
ｂ）前記プラットフォームはさらに、アプリケーションを作成するためにプロセッサによって実行可能な命令を含むコンピュータプログラムで符号化された非一時的なコンピュータ可読ストレージ媒体であって、前記アプリケーションが：
（ｉ）前記顧客から注文を受けるように構成された注文モジュールであって、前記注文は、前記第１の品目および顧客の場所を含む、注文モジュール；
（ｉｉ）前記自律型または半自律型の推進システムを制御して前記自律車両または半自律車両を前記顧客の場所へ誘導する配達モジュール；ならびに
（ｉｉｉ）前記顧客の本人確認に基づいて前記顧客の身元を確認し、前記顧客の身元の前記確認に基づいて前記ロック式コンパートメントのロックを解除する、顧客の本人確認モジュール；ならびに
（ｉｖ）前記第１の品目がないことに基づいて、前記第１の品目が前記コンパートメントから取り出されたことを判断する、前記第２の品目がないことに基づいて、前記第２の品目が前記コンパートメントから取り出されたことを判断する、またはこの両方を判断する、解放検知モジュール
を含む、非一時的なコンピュータ可読ストレージ媒体
を備える、プラットフォーム。
［形態２］
形態１に記載のプラットフォームであって、
前記センサは、バーコードスキャナ、ＲＦＩＤリーダ、物差し、圧力センサ、スイッチ、およびカメラのうちの少なくとも１つを備えている、プラットフォーム。
［形態３］
形態１に記載のプラットフォームであって、
前記入力装置には、Ｗｉ−Ｆｉ入力装置、Ｂｌｕｅｔｏｏｔｈ入力装置、セルラー方式入力装置、ボタン、タッチ画面、カメラ、ＵＳＢ入力部、キーボード、またはこれらの任意の組み合わせが含まれる、プラットフォーム。
［形態４］
形態１に記載のプラットフォームであって、
前記アプリケーションはさらに、データベースモジュールを含む、プラットフォーム。
［形態５］
形態４に記載のプラットフォームであって、
前記データベースは、前記顧客に関連付けられた顧客データを含み、前記アプリケーションはさらに、少なくとも前記第１の品目および前記顧客データに基づいて前記第２の品目を決定するように構成された予測モジュールを備えている、プラットフォーム。
［形態６］
形態５に記載のプラットフォームであって、
前記予測モジュールは、機械学習アルゴリズムによって前記第２の品目を決定する、プラットフォーム。
［形態７］
形態５に記載のプラットフォームであって、
前記予測モジュールはさらに、前記第２の品目の前記決定に基づいて積荷管理者に積荷命令を送信するように構成される、プラットフォーム。
［形態８］
形態４に記載のプラットフォームであって、
前記データベースモジュールは、少なくとも第１の識別情報および第２の識別情報を含む複数の一意識別子を含み、前記第１の識別情報は前記第１の品目に関連付けられ、前記第２の識別情報は前記第２の品目に関連付けられる、プラットフォーム。
［形態９］
形態８に記載のプラットフォームであって、
前記第１の品目は、前記第１の識別情報に関連付けられた第１の指標を含む、前記第２の品目は、前記第２の識別情報に関連付けられた第２の指標を含む、またはこの両方である、プラットフォーム。
［形態１０］
形態９に記載のプラットフォームであって、
前記解放検知モジュールは、前記第１の指標を検知することによって前記第１の品目が取り出されたことを検知し、前記解放検知モジュールは、前記第２の指標を検知することによって前記第２の品目が取り出されたことを検知する、プラットフォーム。
［形態１１］
形態１に記載のプラットフォームであって、
前記ロック式コンパートメントは、２つ以上の第１の品目、２つ以上の第２の品目、またはこの両方を収容し、セキュリティ保護するように構成される、プラットフォーム。
［形態１２］
形態１に記載のプラットフォームであって、
前記ロック式コンパートメントはさらに、前記第１の品目と前記第２の品目の少なくとも一方を販売するように構成された販売機構を有する、プラットフォーム。
［形態１３］
形態１に記載のプラットフォームであって、
さらに、フリート管理モジュールから命令を受信するように構成された通信装置を備えている、プラットフォーム。
［形態１４］
形態１３に記載のプラットフォームであって、
前記命令は、前記顧客の場所と前記顧客の本人確認の少なくとも一方を含む、プラットフォーム。
［形態１５］
形態１に記載のプラットフォームであって、
さらに、エネルギー貯蔵装置とエネルギー収集装置の少なくとも一方を備えている、プラットフォーム。
［形態１６］
形態１に記載のプラットフォームであって、
さらに、媒体を表示するように構成された画面を備えている、プラットフォーム。
［形態１７］
形態１６に記載のプラットフォームであって、
前記媒体は、前記第１の品目に基づく媒体、前記第２の品目に関連付けられた媒体、前記第１の品目に関連付けられた価格、前記第２の品目に関連付けられた価格、前記選択品、前記注文、前記第１の品目がないこと、前記第２の品目がないこと、前記顧客の場所、前記顧客の本人確認、またはこれらの任意の組み合わせを含む、プラットフォーム。
［形態１８］
形態１に記載のプラットフォームであって、
前記アプリケーションは、さらに、前記第１の品目が前記コンパートメントから取り出されていること、前記第２の品目が前記コンパートメントから取り出されていること、またはこの両方に基づいて前記顧客に費用請求するように構成された支払いモジュールを備えている、プラットフォーム。
［形態１９］
形態１に記載のプラットフォームであって、
前記アプリケーションの少なくとも一部は、前記車両に搭載されて実行される、プラットフォーム。
［形態２０］
形態１に記載のプラットフォームであって、
前記プロセッサは、前記車両に搭載されたままである、プラットフォーム。
［形態２１］
形態１に記載のプラットフォームであって、
前記第１の品目は複数の第１の品目を含む、前記第２の品目は複数の第２の品目を含む、またはこの両方である、プラットフォーム。